【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】  タイヤビード（１６）の製造方法であって、
予め定められた断面積のタイヤビード（１６）を形成するために、弾性のあるエラストマ材料で被覆され、かつ該エラストマ材料のウェブ（１４）によって接続された平行な２本のワイヤ（１２ａ，１２ｂ）であるテープ（１０）からなる複数の巻き体（１０ａ，１０ｂ，・・・１０Ｌ）を、並び、かつ予め定められた幅の連続した積み重ねられた層をなすように巻く工程を含む、タイヤビードの製造方法。
【請求項２】  予め定められた断面積のタイヤビード（１６）を形成するために、前記テープ（１０）を、前記複数の巻き体（１０ａ，１０ｂ，・・・１０Ｌ）が並び予め定められた幅の連続した積み重ねられた層をなし、かつ前記巻き体が複数の前記積み重ねられた層にわたるように、ドラム（１８）の周りに巻き付ける工程を含む、請求項１に記載のタイヤビードの製造方法。
【請求項３】  前記テープ（１０）を６角形の断面形状になるように巻く工程を含む、請求項２に記載のタイヤビードの製造方法。
【請求項４】  予め定められた断面積のタイヤビード（１６）を形成するために、弾性のあるエラストマ材料で被覆され、かつ該エラストマ材料のウェブ（１４）によって接続された平行な２本のワイヤ（１２ａ，１２ｂ）であるテープ（１０）からなる巻き体（１０ａ，１０ｂ，・・・１０Ｌ）を、並び、かつ予め定められた幅の連続した積み重ねられた層をなすように巻く方法によって製造されたタイヤビード。
【請求項５】  予め定められた断面積のタイヤビード（１６）を形成するために、前記テープ（１０）の前記複数の巻き体（１０ａ，１０ｂ，・・・１０Ｌ）を、並び、予め定められた幅の連続する積み重ねられた層をなし、かついくつかの前記巻き体が複数の前記積み重ね層にわたるように、ドラム（１８）の周りに巻き付ける方法によって製造された、請求項４記載のタイヤビード。
【手続補正２】
【補正対象書類名】明細書
【補正対象項目名】０００５
【補正方法】変更
【補正の内容】
【０００５】
従来のタイヤビード製造機械の１つの欠陥は、動作速度が比較的遅いことおよびそれによるタイヤビードの製作に要する時間量である。この欠陥を克服するために、ゴムまたはその他のエラストマ材料の被覆により一緒に保持された平行な４本のワイヤからなる帯状体を、このようなタイヤビード機械へ送り込むさまざまな方法が試みられてきた。標準の帯状体を使用して形成された矩形断面形状のタイヤビードが図１に示されている。
【手続補正３】
【補正対象書類名】明細書
【補正対象項目名】０００６
【補正方法】変更
【補正の内容】
【０００６】
しかしながら、このような帯状体はしなやかではないので、それを使用して造り上げることができるタイヤビードの断面形状の範囲は厳しく制限されることが知られている。例えば、タイヤ産業において広く使用される従来の六角断面形状のタイヤビード（図２参照）は、図１に示すタイプの帯状体を使用して造り上げることができない。また、各ビードを形成するワイヤ数を増すことにより、ビードの強度が低減される。
【手続補正４】
【補正対象書類名】明細書
【補正対象項目名】０００８
【補正方法】変更
【補正の内容】
【０００８】
したがって、従来技術にかかわらず、もっと効率的なタイヤビード製造プロセスが依然として必要とされている。
【手続補正５】
【補正対象書類名】明細書
【補正対象項目名】０００９
【補正方法】変更
【補正の内容】
【０００９】
（発明の目的）
本発明の目的は、添付する特許請求の範囲の一つ以上に明記され、下記の副次的な目的の１つ以上を達成することができる、より効率的なタイヤビード製造方法を提供することである。
【手続補正６】
【補正対象書類名】明細書
【補正対象項目名】００１０
【補正方法】変更
【補正の内容】
【００１０】
本発明の１つの目的は、エラストマ材料内に保持された平行な２本のワイヤを含む帯状体を有するタイヤビードを作製する方法を提供することである。
【手続補正７】
【補正対象書類名】明細書
【補正対象項目名】００１１
【補正方法】変更
【補正の内容】
【００１１】
本発明のさらにもう１つの目的は、平行な２本のワイヤの帯状体により形成された新しい改良型のタイヤビードを提供することである。
【手続補正８】
【補正対象書類名】明細書
【補正対象項目名】００１３
【補正方法】変更
【補正の内容】
【００１３】
（発明の概要）
本発明は、概ね、前記した必要性と、従来のタイヤビード製造プロセスに関連する問題とに応えることに関する。タイヤビード機械に対する低い動作効率に関連する従来の問題は、本発明により解決される。
【手続補正９】
【補正対象書類名】明細書
【補正対象項目名】００１４
【補正方法】変更
【補正の内容】
【００１４】
本発明の好ましい一実施態様では、前述の必要性は、以下の特徴を有するタイヤビード製造方法を提供することにより満たすことができる。その製造方法は、弾性のあるエラストマ材料で被覆された平行な複数のワイヤからなるテープを形成する工程と、このようなテープを、重ね合わされた巻き体が予め定められた数になるように巻くことによってタイヤビードを形成する工程と、を有する。エラストマ材料は、ワイヤ同士の間に形成されたウェブによって、隣接する平行なワイヤ同士を接続し、ウェブは、テープに、個別のワイヤを使用して作ることができるのと同じ断面積を有するタイヤビードを作り上げるように配置できるのに十分なしなやかさをもたらすために、予め定められたサイズである。
【手続補正１０】
【補正対象書類名】明細書
【補正対象項目名】００１５
【補正方法】変更
【補正の内容】
【００１５】
もう１つの好ましい実施態様では、本発明は、予め定められた断面積のタイヤビードを形成するために、テープからなる複数の巻き体を、並び、かつ予め定められた幅の連続した複数の積み重ねられた層をなすように、テープを巻き進める、前述した方法の形態を採ることが判る。
【手続補正１１】
【補正対象書類名】明細書
【補正対象項目名】００１９
【補正方法】変更
【補正の内容】
【００１９】
この実施例は、図４に示すように、弾性のあるエラストマ材料で被覆された平行な複数のワイヤ１２ａ，１２ｂからなるテープ１０を形成するステップを有する。エラストマ材料はワイヤ同士の間に形成されたウェブ１４により、隣接する平行なワイヤ同士を接続する。ウェブ１４は、テープに、個別のワイヤを使用して作り上げることができるのと同じ断面積を作り上げるように湾曲させられるのに十分なしなやかさをもたらすために、予め定められたサイズである。タイヤビード１６は、テープ１０を、予め定められた重ね合わせ数だけ、タイヤビード機械２０のドラム１８の周りに巻き付けることにより形成される。
【手続補正１２】
【補正対象書類名】明細書
【補正対象項目名】００２０
【補正方法】変更
【補正の内容】
【００２０】
図３のタイヤビード製造プロセスは、個別のワイヤ１２ａ，１２ｂを供給する複数の大型クリール２２を有する。これらのクリールは横に並べて配置されているが、図３では１個だけ示されている。個別のワイヤ１２ａ，１２ｂはクリール２２から引き出されて、ワイヤを単一の水平面内で平行に揃えるように働く溝付き案内ローラ等の間隔保持装置２４内ヘ通され、それはこれらのワイヤが構成する最終的なテープの基礎となる。次に、ワイヤはチュービング機械２６へ通され、そこで、図４に示すように、エラストマ材料の被覆２８が別々のワイヤ１２ａ，１２ｂの周りおよびそれらの間に押し付けられて、隣接するワイヤ同士の間に予め定められたサイズのウェブ１４を形成しながらワイヤを被覆する。チュービング機械の押出機用のダイおよびインサートの１組を使用してウェブを精密な寸法にする。チュービング機械は任意の標準的なものであって、本発明の一部を構成することはない。
【手続補正１３】
【補正対象書類名】明細書
【補正対象項目名】００２１
【補正方法】変更
【補正の内容】
【００２１】
エラストマ材料を固定するのに使用される冷却部２７を通過した後に得られるテープ１０の断面図については、図４を参照されたい。テープ１０はワイヤ１２ａ，１２ｂの周りの被覆２８と、被覆されたワイヤ１２ａ，１２ｂを相互に接続するウェブ１４を有する。ウェブ１４は、特定の用途に応じて決まる厚さ“ｔ”および幅“ｗ”を有する。図示するように、テープ１０は平行な２本のワイヤにより形成することができるが、エラストマ材料内に埋設された、６本または８本等の、より多くのワイヤでテープを形成し、次に、テープを切って、間にウェブを有する、ゴム内に埋設された２本のワイヤからなる複数のテープとすることも本発明の範囲内に入る。
【手続補正１４】
【補正対象書類名】明細書
【補正対象項目名】００２２
【補正方法】変更
【補正の内容】
【００２２】
このプロセスの連続動作を可能にするために、フェストーン貯蔵装置（festooning storage device：ループ状にして貯蔵する装置）３０が冷却部２７の後に配置される。フェストーン装置３０からのテープは、タイヤビード製造機械２０のドラム１８上に巻き付けられる。タイヤビード製造機械２０は、テープ１０の先端をドラム１８上の把持部（図示せず）内へ自動的に導入しドラムを間欠的に回転させる機械部材３２を含む、このような機械に通常含まれる全ての標準装置を有する。従来の構成の積層装置３４は、得られるタイヤビードの断面形状を制御しかつ造り上げるように、到来するテープ１０を移動させる。ナイフ３６は各組立てサイクルの終りにおいて、到来するテープを切断する。ドラム１８の回転の休止中に、完成したタイヤビード１６がドラムから横方向に排出される。
【手続補正１５】
【補正対象書類名】明細書
【補正対象項目名】００２３
【補正方法】変更
【補正の内容】
【００２３】
下記の表１は、タイヤビードを構成するテープ１０の製造にさまざまなサイズの丸いスチールワイヤが使用される時に形成されるウェブ１４に関する好ましいパラメータを示す。
【手続補正１６】
【補正対象書類名】明細書
【補正対象項目名】００２４
【補正方法】変更
【補正の内容】
【００２４】
表  １
ワイヤ径  エラストマ材料  被覆厚    ウェブ厚      ウェブ幅
(mm)                    (mm)        (mm)          (mm)
1.270      ゴム         0.127   0.508-0.635       0.254
1.829      ゴム         0.127   0.635-0.762       0.254
(in)                    (in)        (in)          (in)
0.050      ゴム         0.005   0.020-0.025       0.010
0.072      ゴム         0.005   0.025-0.030       0.010
このようなウェブサイズを使用することにより、得られるテープ１０は、そのテープを、さまざまなタイヤビード構成において使用される断面形状の全範囲を造るのに最適な構成にできるようにするために、円筒ドラムに張り付けられるテープ層の大部分に対して１３５度から１５０度の間の角度で配置できることが判っている。例えば、図５は、エラストマ被覆内に埋設された平行な２本のワイヤ１２ａ，１２ｂを有するテープ１０を使用して形成された６角形タイヤビード１６の断面図を示す。この例では、テープ１０は、ドラム１８の周りに単一のテープの１２個の巻き体（convolutions）１０ａ，１０ｂ，・・・１０Ｌを形成するように巻き付けられる。これらの巻き体は、通常、ドラムの周りに作り上げられる層内に並ぶように巻かれて、６角形タイヤビード１６等の所望の断面形状を得る。
【手続補正１７】
【補正対象書類名】明細書
【補正対象項目名】００２５
【補正方法】変更
【補正の内容】
【００２５】
通常、テープ１０はドラム１８の外周面に形成された溝４０内に巻き付けられる。最初に、テープは溝の一端においてドラム１８に巻き付けられ、隣接する巻き体１０ｂが続く。次に、積層装置は、次の巻き体１０ｃを、ウェブの左側が巻き体１０ｂのウェブの部分の上に載るように、巻き体１０ｂの上かつ少し右側に置く。これと同じように巻き体１０ｄが張り付けられた後に、巻き体１０ｅの第１のワイヤが第２の層に隣接し、かつ巻き体１０ｅの第２のワイヤが第３の層を開始するように、巻き体１０ｅが張り付けられる。巻き体１０ｆおよび１０ｇが張り付けられた後に、巻き体１０ｈが、第３の層を終わらせて第４の層を開始するように張り付けられる。この組立プロセスが、図５に示すビードの形成を継続する。２層にわたる２重のワイヤを有するテープ１０により、３角形、５角形、または６角形を含むがそれに限定されるわけではないあらゆる所望の形状を有するビードを形成するための柔軟性を付与することが可能になる。第２、第３、および第４の層内の外側の巻き体１０ｃ，１０ｈは、それらの平行なワイヤ同士の中心間の線ａ−ａが、同じ層内の隣接する巻き体の中心間の同様な線ｂ−ｂに対して角度αをなすように方向付けられた半分の巻き体を有する。６角形ビードの場合には角度αは６０度であってよいが、最終的なビード形状に応じて他の任意の角度とすることができる。
【手続補正１８】
【補正対象書類名】明細書
【補正対象項目名】図１
【補正方法】変更
【補正の内容】
【図１】
各々がゴム被覆内に保持された平行な６本のワイヤからなる、４つの帯状体を積層することにより製造される従来のタイヤビードの断面図である。